(57)【要約】【課題】スピーカー用の磁気回路ユニットを精度良く組み立てられ、かつ作業効率の良い組立治具を提供する。【解決手段】マグネットを付けたプレートをヨークの凹部に位置決め固定するスピーカー用磁気回路ユニット組立治具であって、該スピーカー用磁気回路ユニット組立治具は、少なくとも、マグネットを付けたプレートとヨークをそれぞれ位置決めするコマと、該コマを取り外し可能に複数個位置決め固定するベースで構成し、前記コマは、マグネットを付けたプレートとヨークをそれぞれ位置決めする突起部を形成し、ヨークの凹部内径よりコマの突起部のヨーク位置決め部外径を大きくし、プレートを位置決めする突起部内壁はプレート受面から上部に向かって内径が大きくなるテーパ状に形成したスピーカー用磁気回路ユニット組立治具とする。【選択図】      図４
2004312325.tif 000002
【特許請求の範囲】
【請求項１】
マグネットを付けたプレートをヨークの凹部に位置決め固定するスピーカー用磁気回路ユニット組立治具であって、該スピーカー用磁気回路ユニット組立治具は、少なくとも、マグネットを付けたプレートとヨークをそれぞれ位置決めするコマと、該コマを取り外し可能に複数個位置決め固定するベースで構成されていることを特徴とするスピーカー用磁気回路ユニット組立治具。
【請求項２】
前記コマにコマの中心軸に沿ったスリットを形成したことを特徴とする請求項１記載のスピーカー用磁気回路ユニット組立治具。
【請求項３】
前記コマに、マグネットを付けたプレートとヨークをそれぞれ位置決めする突起部を形成し、ヨークの凹部内径よりコマの突起部のヨーク位置決め部外径を大きくし、プレートを位置決めする突起部内壁はプレート受面から上部に向かって内径が大きくなるテーパ状に形成したことを特徴とする請求項２記載のスピーカー用磁気回路ユニット組立治具。
【発明の詳細な説明】
【０００１】
【発明の属する技術分野】
本発明はスピーカー用磁気回路ユニット組立治具に関するものである。
【０００２】
【従来の技術】
図１は従来技術によるスピーカーの断面図である。スピーカーは、エッジ１とドーム２を一体形成した振動板と、振動板に固定されたボイスコイル３と、ヨーク６に固定されたマグネット７と、マグネット７に固定されたプレート８とヨーク６を位置決め固定するフレーム４とで構成されている。５はフレーム４に形成された通気孔であり、１４はフェルトなどの空気抵抗の大きな物質であり、音圧周波数特性を改善するためのものである。９はエッジ１で囲まれた空気室、１０はドーム２で囲まれた空気室、１１はボイスコイルの外側空隙、１２はボイスコイルの内側空隙、１３はヨーク６とマグネット７で囲まれた空気室である。ヨーク６とマグネット７とプレート８が組み立てられてスピーカー用磁気回路ユニットが完成する。
【０００３】
ヨーク６の内周とプレート８の外周で形成される空隙はできるだけ小さい方が良いが、ヨーク６の内周とプレート８の外周の間にはボイスコイル３が挿入され、ボイスコイル３は図のＹ軸方向に移動するので、ボイスコイルの外側空隙１１、ボイスコイルの内側空隙１２等が正確にできるよう組み立てなければならない。
スピーカーが小型になるほど組立位置精度が必要となる。例えば、ヨーク６の内周とプレート８の外周の間隔が０．６ｍｍ、ボイスコイル３の厚みが０．２ｍｍの場合、ボイスコイルの外側空隙１１、ボイスコイルの内側空隙１２は均等に割り振っても０．２ｍｍと狭いものである。（例えば、特許文献１参照）
【０００４】
図２は従来技術による前記スピーカーのヨークとプレートを組み立てるためのコマの断面図であり、図３は前記コマにヨークとプレートをセットした断面図である。
【０００５】
プレート８とヨーク６との組立は、マグネット７を固定したプレート８を、マグネット７を上にして突起部２１の内周にセットする。マグネット７の上面に接着剤を塗布し、ヨーク６の凹部内周を突起部２１の外周をガイドとしてセットする。そのまま、接着剤が硬化するまで放置する。いわゆる１個流しである。コマ２０の貫通穴２２は接着終了後ワーク（スピーカー用磁気回路ユニット、以下同じ）を外す際にワークを押出すための穴である。
【０００６】
【特許文献１】
特開昭５７−２３３９５号公報（第１頁、第１図）
【０００７】
【発明が解決しようとする課題】
１個流しであるため、生産性が悪い。
【０００８】
図３からわかるように、プレート８とヨーク６とコマ２０の突起部２１で密閉される空間にマグネット７とヨーク６を接着する接着剤から発生するガスが充満する。そのため、接着剤の硬化時間が長くなってしまう。
【０００９】
プレート８とヨーク６がマグネット７を介して接着されるが、接着剤が硬化した後のワークがコマ２０の突起部２１に食いつき外れにくくなる。
【００１０】
部品の加工精度のばらつきと、コマの加工精度のばらつきにより、ヨーク６とプレート８の接着位置にズレが発生し、ヨーク６の内周とプレート８外周の間隔が同心円にならない。
【００１１】
マグネット７に接着剤を塗布する工程、ヨーク６をコマ２０にセットする工程、マグネット７にヨーク６を被せて押しつける工程での接着剤のはみだし等により、接着剤がコマ２０に付着することがあり、接着剤を溶解する溶液で洗浄することがある。
【００１２】
【課題を解決するための手段】
マグネットを付けたプレートをヨークの凹部に位置決め固定するスピーカー用磁気回路ユニット組立治具であって、該スピーカー用磁気回路ユニット組立治具は、少なくとも、マグネットを付けたプレートとヨークをそれぞれ位置決めするコマと、該コマを取り外し可能に複数個位置決め固定するベースで構成されているスピーカー用磁気回路ユニット組立治具とする。
【００１３】
前記コマにコマの中心軸に沿ったスリットを形成したスピーカー用磁気回路ユニット組立治具とする。さらに、前記コマは、マグネットを付けたプレートとヨークをそれぞれ位置決めする突起部を形成し、ヨークの凹部内径よりコマの突起部のヨーク位置決め部外径を大きくし、プレートを位置決めする突起部内壁はプレート受面から上部に向かって内径が大きくなるテーパ状に形成したスピーカー用磁気回路ユニット組立治具とする。
【００１４】
スピーカー用磁気回路ユニット組立治具に使用するコマは前記接着剤を溶解する溶液に溶けない材質とする。
【００１５】
【発明の実施の形態】
図４は本発明の一実施形態であるスピーカー用磁気回路ユニット組立治具の上面図（Ａ）と断面図（Ｂ）である。図５は本発明に係わるコマの斜視図であり、図６はその断面図である。
【００１６】
スピーカー用磁気回路ユニット組立治具３０は、コマ組込み用穴３２を複数個形成したベース３１に複数個のコマ４０を組込んだものである。コマ４０の組込みはベース３１への圧入、ネジ止め、接着等が可能であり、コマの交換が容易にできる方法を選択すれば良い。コマ４０は前記接着剤を溶解する有機溶剤に溶けない材質（例えば、ポリアセタール樹脂）とする。
【００１７】
コマ４０は、突起部４１と中央部に形成された貫通穴４２で構成されている。さらに、コマの４０中心軸に沿ってスリット４３（本実施形態では３つ）が形成されている。突起部４１は、ヨーク位置決め用外周４４とプレート位置決め用内周４５で構成されており、内壁はプレート受面４６から上部に向かって内径が大きくなるテーパ状に形成されている。これはヨーク位置決め用外周４４がヨーク６の内周面によりつぼまってもワークが外れなくならないためのものである。
【００１８】
以下、スピーカー用磁気回路ユニット組立治具を使用したスピーカー用磁気回路ユニットの組立を説明する。
工程１．図４に示すスピーカー用磁気回路ユニット組立治具３０のコマ４０（３０個）の突起部４１の内側にマグネット７を固定したプレート８を搭載する。
工程２．マグネット７の上面に接着剤を塗布する。
工程３．突起部４１のヨーク位置決め用外周４４にヨーク６の凹部を合わせて載置し、軽く押しつける。３０個のヨーク６を載置したらそのまま放置して接着剤を硬化させる。
工程４．接着剤が硬化したらワークを取り外す。
スピーカー用磁気回路ユニットの組立作業は以上で終了する。
【００１９】
【発明の効果】
１個流しから複数個取りの治具にすることにより、組立作業効率が向上する。
【００２０】
プレートとヨークの寸法が異なる場合にも、コマを別途用意することで、同一のベースを使用することができる。
【００２１】
コマにスリットを形成することで、プレートとヨークとコマの突起部で密閉される空間にマグネットとヨークを接着する接着剤から発生するガスが充満することを防止でき、接着剤の硬化時間を短くできる。
【００２２】
コマにスリットを形成することで、ワークが完成した状態でワークが突起部に食いついた場合も、外れやすくなる。
【００２３】
コマにスリットを形成すると共に、ヨークの凹部内径よりコマの突起部のヨーク位置決め部外径を大きくし、プレートを位置決めする突起部内壁はプレート受面から上部に向かって内径が大きくなるテーパ状に形成したため、ヨークとプレートの位置決め精度が向上するとともに、ワークが完成した状態でワークが突起部に食いつきが発生するのを防止できる。
【００２４】
コマに付着した接着剤を溶解する溶剤（有機溶剤）に耐える材質（ポリアセタール樹脂）としたので、コマの洗浄が容易にできるようになる。
【図面の簡単な説明】
【図１】従来技術によるスピーカーの断面図
【図２】従来技術による前記スピーカーのヨークとプレートを組み立てるためのコマの断面図
【図３】前記コマにヨークとプレートをセットした断面図
【図４】本発明の一実施形態であるスピーカー用磁気回路ユニット組立治具の上面図（Ａ）と断面図（Ｂ）
【図５】本発明に係わるコマの斜視図
【図６】本発明に係わるコマの断面図
【符号の説明】
１  エッジ
２  ドーム
３  ボイスコイル
４  フレーム
５  通気孔
６  ヨーク
７  マグネット
８  プレート
９  空気室
１０  空気室
１１  ボイスコイルの外側空隙
１２  ボイスコイルの内側空隙
１３  空気室
１４  フェルト
２０  コマ
２１  突起部
２２  貫通穴
３０  スピーカー用磁気回路ユニット組立治具
３１  ベース
３２  コマ組込み穴
４０  コマ
４１  突起部
４２  貫通穴
４３  スリット
４４  ヨーク位置決め用外周
４５  プレート位置決め用内周
４６  プレート受面
【図１】
2004312325.tif 000003
【図２】
2004312325.tif 000004
【図３】
2004312325.tif 000005
【図４】
2004312325.tif 000006
【図５】
2004312325.tif 000007
【図６】
2004312325.tif 000008